(57)【特許請求の範囲】
【請求項１】
パチンコ玉リフト下端側に回転軸を水平にして軸支した下部プーリと、パチンコ玉リフト上端側に回転軸を水平にして軸支した上部プーリと、前記下部プーリと前記上部プーリの間に巻きかけられ回転するベルトと、前記下部プーリとの間で前記プーリの回転によって上昇する側の前記ベルトを介してパチンコ玉を狭持できるように前記下部プーリと並べて回転軸を水平にして軸支され前記上部プーリと反対回転するサブプーリと、前記下部プーリおよび前記サブプーリの下面に配置されパチンコ玉を前記下部プーリおよび前記サブプーリの間に導入すると共に対向する面に下部プーリ側からのパチンコ玉とサブプーリ側からのパチンコ玉が干渉しないようにパチンコ玉をガイドする複数のガイド溝を有し前記下部プーリおよび前記サブプーリと前記ガイド溝の間でパチンコ玉を狭持して前記下部プーリと前記サブプーリとの近接点まで上昇させるガイドシューと、前記下部プーリと前記上部プーリの間であって前記プーリの回転によって上昇する側の前記ベルトの背面に配置されたベルト支持板と、前記ベルト支持板と前記ベルトを介在させて弾力的に対向して配置され前記ベルトに対向する面には上昇するパチンコ玉をガイドする複数の縦方向のガイド溝を有し前記ベルトと前記ガイド溝の間でパチンコ玉を狭持して上昇させる押圧板と、前記押圧板の前記ガイド溝を設けた面に装着され前記ベルトとの間で狭持されるパチンコ玉と前記ガイド溝の間に介在する研摩布とからなることを特徴とするパチンコ玉研摩リフタ装置。
【請求項２】
前記押圧板の一部をガイド溝を設けたゴム製の研摩板に置換したことを特徴とする請求項１に記載のパチンコ玉研摩リフタ装置。
【発明の詳細な説明】
【０００１】
【発明の属する技術分野】
本発明はパチンコ台から回収されたあふれ玉を研摩しながらリフトするパチンコ玉研摩リフタ装置に関する。
【０００２】
【従来の技術】
従来、パチンコ台から回収されたあふれ玉を研摩しながらリフトするパチンコ玉研摩リフタ装置としては、図７の側面図に示すようなものである。図７において、パチンコ玉リフト下端側には駆動プーリである下部プーリ１０が回転軸を水平にして軸支されており、パチンコ玉リフト上端側に上部プーリ１２が回転軸を水平にして軸支されている。
【０００３】
下部プーリ１０と上部プーリ１２の間にはベルト１４が巻きかけられ、さらに３個の補助プーリ１６により緊張されている。下部プーリ１０は図において反時計回りに駆動されるが、下部プーリ１０と上部プーリ１２の間であって、プーリの回転によって上昇する側のベルト１４の背面にはベルト支持板１８が配置されており、ベルト支持板１８にはベルト１４を介在させて押圧板２０が弾力的に対向して配置されている。
【０００４】
この押圧板２０には図５のＤ−Ｄ断面図に示すように、ベルト１４に対向する面には、押圧板２０との間で狭持されベルト１４の回転に伴って上昇するパチンコ玉２２をガイドする複数の縦方向のガイド溝２４が設けられている。また、押圧板２０のガイド溝２４を設けた面には研摩布２６が装着されベルト１４との間で狭持されるパチンコ玉２２が研摩されながらリフトされる。
【０００５】
下部プーリ１０の下面には、下部プーリ１０の前面からパチンコ玉２２を下部プーリ１０の下へ導入する傾斜面２７を有すると共に、巻き掛けられたベルト１４との間にパチンコ玉２２を狭持して回転するガイドシュー２８が対向するように配置され、対向する曲面には押圧板２０と同様に下部プーリ１０の回転により上昇するパチンコ玉２２を押圧板２０のガイド溝２４へ導く複数のガイド溝が設けられている。
【０００６】
上部プーリ１２にはパチンコ玉放出口３２を有し上部プーリ１２との間でベルト１４を介してパチンコ玉２２を狭持できるトップカバー３４が取り付けられ、回転するベルト１４と押圧板２０に挟まれて研摩されながら上昇したパチンコ玉２２がトップカバー３４の中を回って放出口３２からパチンコ玉が吐き出される。
【０００７】
【発明が解決しようとする課題】
この従来のパチンコ玉研摩リフタ装置は図７に示すように、各パチンコ台３６からのあふれ玉は、傾斜を付けたあふれ玉回収樋３８により左右から回収タンク４０に集められる。
【０００８】
回収タンク４０に集められたパチンコ玉は、ガイドシュー２８の傾斜面２７へ送られ、回転するベルト１４とガイドシュー２８の間に狭持されて回転し、押圧板２０に到って研摩されながら上昇し、トップカバー３４の中を回って放出口３２からパチンコ玉が吐き出され、補給タンク４２へ投入される。補給タンク４２へ入ったパチンコ玉は補給樋４４により各パチンコ台３６へ補給される。
【０００９】
しかしながら、このようなパチンコ玉の回収補給システムにおいては、パチンコ玉研摩リフタ装置へのパチンコ玉の投入は下部プーリの片側のみに行われるため、両側のあふれ玉回収樋３８からのパチンコ玉をリフタ装置の側面の１か所の回収タンク４０に回収する必要があり、さらに回収タンク４０からパチンコ玉研摩リフタ装置へ傾斜を利用してパチンコ玉を送り込む必要から回収タンク４０に位置がどうしても高くなる。そのため、パチンコ玉回収に必要な傾斜を充分にとると、あふれ玉回収樋３８があふれ玉回収を受け持つパチンコ台の台数が少なくなり、設備費が嵩むという問題点がある。また、従来の押圧板と研摩布のみによるパチンコ玉の研摩ではまだ不十分であり、さらに研摩の優れたパチンコ玉研摩リフタ装置の出現が望まれていた。
【００１０】
本発明は従来のパチンコ玉研摩リフタ装置の前記のごとき問題点を解決するためになされたものであって、今までより多数のパチンコ台からの玉あふれ玉を回収することが可能であり、さらに研摩の優れたパチンコ玉研摩リフタ装置を提供することを目的とする。
【００１１】
【課題を解決するための手段】
本発明の請求項１のパチンコ玉研摩リフタ装置は、パチンコ玉リフト下端側に回転軸を水平にして軸支した下部プーリと、パチンコ玉リフト上端側に回転軸を水平にして軸支した上部プーリと、前記下部プーリと前記上部プーリの間に巻きかけられ回転するベルトと、前記下部プーリとの間で前記プーリの回転によって上昇する側の前記ベルトを介してパチンコ玉を狭持できるように前記下部プーリと並べて回転軸を水平にして軸支され前記上部プーリと反対回転するサブプーリと、前記下部プーリおよび前記サブプーリの下面に配置されパチンコ玉を前記下部プーリおよび前記サブプーリの間に導入すると共に対向する面に下部プーリ側からのパチンコ玉とサブプーリ側からのパチンコ玉が干渉しないようにパチンコ玉をガイドする複数のガイド溝を有し前記下部プーリおよび前記サブプーリと前記ガイド溝の間でパチンコ玉を狭持して前記下部プーリと前記サブプーリとの近接点まで上昇させるガイドシューと、前記下部プーリと前記上部プーリの間であって前記プーリの回転によって上昇する側の前記ベルトの背面に配置されたベルト支持板と、前記ベルト支持板と前記ベルトを介在させて弾力的に対向して配置され前記ベルトに対向する面には上昇するパチンコ玉をガイドする複数の縦方向のガイド溝を有し前記ベルトと前記ガイド溝の間でパチンコ玉を狭持して上昇させる押圧板と、前記押圧板の前記ガイド溝を設けた面に装着され前記ベルトとの間で狭持されるパチンコ玉と前記ガイド溝の間に介在する研摩布からなることを要旨とする。
【００１２】
本発明の請求項２のパチンコ玉研摩リフタ装置は、請求項１の発明において、前記押圧板の一部をガイド溝を設けたゴム製の研摩板に置換したことを要旨とする。
【００１３】
下部プーリとの間でプーリの回転によって上昇する側のベルトを介してパチンコ玉を狭持できるように下部プーリと並べて回転軸を水平にして上部プーリと反対回転するサブプーリを軸支し、下部プーリおよびサブプーリの下面に対向するようにガイドシューを配置し、パチンコ玉を前記下部プーリおよび前記サブプーリの間に導入すると共に、ガイドシューの対向する曲面に下部プーリ側からのパチンコ玉とサブプーリ側からのパチンコ玉が干渉しないようにパチンコ玉をガイドする複数のガイド溝を設けたので、回収されたパチンコあふれ玉は下部プーリの側からとサブプーリの側からガイドシューによりリフタに取り込まれる。
【００１４】
取り込まれたパチンコ玉は、下部プーリおよびサブプーリとガイド溝の間で狭持され、下部プーリとサブプーリとの近接点まで上昇する。下部プーリとサブプーリとの近接点まで上昇したパチンコ玉は、押圧板のガイド溝に導かれる。押圧板に至ったパチンコ玉は研摩布によって研摩されながら上昇し、トップカバーの中を回って放出口から吐き出され、補給タンクへ投入される。
【００１５】
このように、本発明においてはパチンコ玉の投入が両側から行えるので、あふれ玉回収樋からのパチンコ玉を両側からストレートにリフタ装置に送り込むことができ、あふれ玉回収樋から投入口への回収タンクの形状が簡素化される。そのため、回収タンクとあふれ玉回収樋の位置が下がり、パチンコ台の設置台数を増やすことができる。また、押圧板の一部をガイド溝を設けたゴム製の研摩板に置換したことにより、研摩力を向上することができる。
【００１６】
【発明の実施の形態】
本発明の実施の形態を以下図面に従って説明する。図１は本発明の一実施の形態の側面図である。図１において、パチンコ玉リフト装置の下端側には下部プーリ１０が回転軸を水平にして軸支されており、図示しない駆動装置により矢印方向に回転する。また、パチンコ玉リフト装置の上端側であって下部プーリ１０の直上には上部プーリ１２が回転軸を水平にして軸支されている。
【００１７】
この下部プーリ１０と上部プーリ１２の間にはベルト１４が巻きかけられており、さらにベルト１４は３個の補助プーリ１６を交互に表裏から接触回転させることによりに緊張されている。下部プーリ１０は図において反時計回りに駆動されるので、ベルト１４も図において矢印方向に回転する。また、下部プーリ１０と上部プーリ１２の間であって、プーリの回転によって上昇する側のベルト１４の背面にはベルト支持板１８が配置されている。
【００１８】
下部プーリと１０のベルト１４の回転上昇する側には、ベルト１４との間にパチンコ玉２２が狭持できる間隔を隔てて、下部プーリと並べて回転軸を水平にしてサブプーリ４６が軸支されており、このサブプーリ４６は図示しない駆動装置により、上部プーリ１０と反対回転する。
【００１９】
下部プーリ１０およびサブプーリ４６の下面にはガイドシュー２８が配置されているが、このガイドシュー２８はパチンコ玉２２を下部プーリ１０またはサブプーリ４６の下に導入する傾斜面２７と、導入されたパチンコ玉を下部プーリ１０またはサブプーリ４６との間で狭持し下部プーリ１０とサブプーリ４６との狭持点まで搬送する曲面５２が左右対象に設けられている。
【００２０】
このガイドシュー２８にはパチンコ玉をガイドするガイド溝３０が設けられているが、下部プーリ１０側のガイド溝３０ａはＡ−Ａ断面図に示すように、ガイドシュー２８の中央に５個並べられており、サブプーリ４６側のガイド溝３０ｂはＢ−Ｂ断面図に示すように、ガイドシュー２８の両端に２個設けられており、下部プーリ側からのパチンコ玉とサブプーリ側からのパチンコ玉が干渉しないようにパチンコ玉をガイドするようになっている。
【００２１】
また、上昇する側のベルト１４の表面には、ベルト支持板１８との間でベルト１４を介してパチンコ玉２２を狭持できる間隔を隔てて、押圧板２０が弾力的に取り付けられており、この押圧板２０には下部プーリ１０側から上昇してくるパチンコ玉とサブプーリ４６側から上昇してくるパチンコ玉をガイドするガイド溝２４がベルト１４の回転方向に設けられている。
【００２２】
押圧板２０は上下２つに分割されており、下部押圧板２０ａはＣ−Ｃ断面図に示すように、ゴム製の研摩板であるが、上部押圧板２０ｂはＤ−Ｄ断面図に示すように研摩布２６でカバーされており、この研摩布２６は下から巻き込まれ上から巻き取られることにより定期的にリフレッシュされる。
【００２３】
上部プーリ１２にはパチンコ玉放出口３２を有し上部プーリ１２との間でベルト１４を介してパチンコ玉２２を狭持できるトップカバー３４が取り付けられ、回転するベルト１４と押圧板２０に挟まれて研摩されながら上昇したパチンコ玉２２がトップカバー３４の中を回って放出口３２からパチンコ玉が吐き出される。
【００２４】
本実施例のパチンコ玉研摩リフタ装置の据付図は図６に示す通りであって、各パチンコ台３６からのあふれ玉は、左右の傾斜を付けたあふれ玉回収樋３８によりそれぞれの左右の回収タンク４０ａおよび４０ｂに集められる。
【００２５】
回収タンク４０ａおよび４０ｂに集められたパチンコ玉は、それぞれ下部プーリ１０側のガイドシュー２８の傾斜面２７およびサブプーリ４６側のガイドシュー２８の傾斜面２７へ送られ、下部プーリ１０およびサブプーリ４６の間に導入される。
【００２６】
次いでパチンコ玉２２は下部プーリ１０により回転するベルト１４またはサブプーリ４６とガイドシュー２８の間に狭持されて回転し上昇するが、ガイドシューには下部プーリ側からのパチンコ玉とサブプーリ側からのパチンコ玉が干渉しないようにパチンコ玉をガイドするガイド溝３０ａおよび３０ｂが設けられているので、パチンコあふれ玉は下部プーリの側からとサブプーリの側からガイドシューにより押圧板２０のガイド溝２４へ導入される。
【００２７】
押圧板２０のガイド溝２４へ導入されたパチンコ玉２２は、最初はゴム製の下部押圧板２０ａにより研摩され、次いで研摩布２６でカバーされた上部押圧板２０ｂで研摩されつつ上昇するので、従来よりもきれいに研摩されて上部プーリ１２までリフトされる。
【００２８】
上部プーリ１２に至ったパチンコ玉２２は、トップカバー３４の中を回って放出口３２からパチンコ玉が吐き出され、補給タンク４２へ投入される。図６には従来の装置を用いた場合のあふれ玉回収とい３８の取り付け位置を線イで示したが、本実施例装置を用いれば、回収タンク４０とあふれ玉回収樋３８の位置が下がり、パチンコ台２２の設置台数を増やすことができる。
【００２９】
【発明の効果】
本発明のパチンコ玉研摩リフタ装置は以上詳述したように、下部プーリとの間でプーリの回転によって上昇する側のベルトを介してパチンコ玉を狭持できるように下部プーリと並べて回転軸を水平にして軸支され上部プーリと反対回転するサブプーリを設け、下部プーリおよびサブプーリの下面に下部プーリ側からのパチンコ玉とサブプーリ側からのパチンコ玉が干渉しないようにパチンコ玉を下部プーリおよびサブプーリの間に導入すると共に下部プーリと前記サブプーリとの近接点まで上昇させるガイドシューを設け、ベルトと押圧板の間にパチンコ玉を狭持して研摩しながらリフトするものであって、パチンコ玉の投入が両側から行えるので、あふれ玉回収樋からのパチンコ玉を両側からストレートにリフタ装置に送り込むことができ、あふれ玉回収樋から投入口への回収タンクの形状が簡素化される。そのため、回収タンクとあふれ玉回収樋の位置が下がり、パチンコ台の設置台数を増やすことができる。また、押圧板の一部をガイド溝を設けたゴム製の研摩板に置換したことにより、研摩力を向上することができる。
【図面の簡単な説明】
【図１】本発明の一実施の形態の側面図である。
【図２】図１のＡ−Ａ線における断面図である。
【図３】図１のＢ−Ｂ線における断面図である。
【図４】図１のＣ−Ｃ線における断面図である。
【図５】図１および図７のＤ−Ｄ線における断面図である。
【図６】図１の実施例のパチンコ玉研摩リフタ装置の据付図である。
【図７】従来のパチンコ玉研摩リフタ装置の側面図である。
【符号の説明】
１０・・・・・下部プーリ
１２・・・・・上部プーリ
１４・・・・・ベルト
１８・・・・・ベルト支持板
２０・・・・・押圧板
２２・・・・・パチンコ玉
２４・・・・・押圧板のガイド溝
２６・・・・・研摩布
２８・・・・・ガイドシュー
３０・・・・・ガイドシューのガイド溝
３６・・・・・パチンコ台
３８・・・・・あふれ玉回収樋
４０・・・・・回収タンク
４２・・・・・供給タンク
４４・・・・・補給樋
４６・・・・・サブプーリ
【図１】
0003922654.tif 000002
【図２】
0003922654.tif 000003
【図３】
0003922654.tif 000004
【図４】
0003922654.tif 000005
【図５】
0003922654.tif 000006
【図６】
0003922654.tif 000007
【図７】
0003922654.tif 000008